(57)【要約】【課題】本発明の目的は、請求項１に記載の前提部に従う車両の位置及び方位を記録する方法の精度の改良を提供することである。【解決手段】前輪（３ａ）及び（３ｂ）の速度に基づく推測航法を使用して車両の位置（ｘref）及び方位（Ｈ）を追跡する方法であって、前輪（３ａ）及び（３ｂ）の速度ｖ及び方位変化ｈから演算される近似的なかじ取り角δapp及び正確なかじ取り角δexを演算し、正確なかじ取り角δexからの逸脱が小さい場合には簡単な公式で算出される近似的なかじ取り角δappを使用し、逸脱が大きい場合には正確なかじ取り角δexを使用して、車両の位置（ｘref）及び方位（Ｈ）を追跡する方法。【選択図】図１
2012098270.tif 000002
【特許請求の範囲】
【請求項１】
左前輪（３ａ）の速度ｖlを示すパラメータ及び右前輪（３ｂ）の速度ｖrを示すパラメータを測定し、
前記左前輪（３ａ）の前記速度ｖlの値及び前記右前輪（３ｂ）の前記速度ｖrの値を前記パラメータから導き出し、
前記左前輪（３ａ）の前記速度ｖl及び前記右前輪（３ｂ）の前記速度ｖrから演算かじ取り角δcalの関数を演算することであって、前記演算かじ取り角は、かじ取り角間隔に亘って変化し、
前記演算かじ取り角δcalの前記関数を使用して前記車両の速度ｖ及び方位変化ｈを演算し、
前記車両の前記演算された速度ｖ及び方位変化ｈを使用して、前記車両の先の位置及び方位に基づいて前記車両の位置（ｘref）及び方位（Ｈ）の値を演算する、
ことを具備する前輪（３ａ）及び（３ｂ）の速度に基づく推測航法を少なくとも断続的に使用して車両の位置（ｘref）及び方位（Ｈ）を追跡する方法であって、
前記方位変化ｈを演算するために使用される前記演算かじ取り角δcalの前記関数に反映される前記演算かじ取り角δcalは、前記かじ取り角間隔の少なくとも一部において、
【数１】
2012098270.tif 000107
に従い演算される正確なかじ取り角δexから
【数２】
2012098270.tif 000108
として規定される近似的なかじ取り角の前記正確なかじ取り角δexからの逸脱より小さく逸脱し、ａはホイールベースで分割したフロントトラックゲージの半分であり、
【数３】
2012098270.tif 000109
である方法。
【請求項２】
前記かじ取り角間隔の全体で、前記正確なかじ取り角δexからの前記演算かじ取り角δcalの逸脱の範囲は、２°よりも小さく、好適には１°よりも小さい請求項１に記載の方法。
【請求項３】
前記近似的なかじ取り角δappの関数が演算され、前記近似的なかじ取り角δappがしきい値かじ取り角（δthr）よりも小さい場合、前記方位変化ｈの演算で使用される前記かじ取り角の関数は、前記演算かじ取り角δcalが前記近似的なかじ取り角δappに等しいことが反映され、前記近似的なかじ取り角δappが前記しきい値かじ取り角（δthr）よりも大きい場合、前記関数は、前記演算かじ取り角δcalが前記近似的なかじ取り角δappと異なり、前記演算かじ取り角δcalが前記近似的なかじ取り角δappの関数から決定されることが反映される請求項１又は２に記載の方法。
【請求項４】
前記近似的なかじ取り角δappの前記関数からの前記演算かじ取り角δcalの前記関数の前記決定において、前記正確なかじ取り角δexの関数の値と、前記近似的なかじ取り角δappの対応する値の関数とからなる対が記憶されるルックアップテーブルが使用される請求項３に記載の方法。
【請求項５】
前記近似的なかじ取り角δappの前記関数の値が前記ルックアップテーブルに記憶されるかじ取り角の２つの値の間である場合に、補間、好適には線形補間が使用される請求項４に記載の方法。
【請求項６】
前記車両の前記速度ｖは、
【数４】
2012098270.tif 000110
として演算される請求項１〜５のいずれか一項に記載の方法。
【請求項７】
前記車両の前記速度ｖは、
【数５】
2012098270.tif 000111
として演算される請求項１〜５のいずれか一項に記載の方法。
【請求項８】
前記方位変化ｈは、
【数６】
2012098270.tif 000112
として演算され、ｌは前記ホイールベースである請求項１〜７のいずれか一項に記載の方法。
【請求項９】
前記車両の前記方位変化ｈは、
【数７】
2012098270.tif 000113
として演算され、ｂは前記フロントトラックゲージの半分である請求項１〜７のいずれか一項に記載の方法。
【請求項１０】
前記演算かじ取り角δcalは、間隔〔−３５°，＋３５°〕を含む範囲に亘り変化する請求項１〜９のいずれか一項に記載の方法。
【請求項１１】
連続するフィルタサイクルで構成される方法であって、フィルタサイクルそれぞれは、それぞれの場合に前記車両の前記位置（ｘref）及び前記方位（Ｈ）の値が、前記速度ｖ及び前記方向変化ｈから演算され、演算それぞれは前記位置（ｘref）及び前記方位（Ｈ）の先に確立された値に基づく少なくとも１つの時間更新工程と、前記予測工程で演算された前記位置（ｘref）及び前記方位（Ｈ）の前記値が、ＧＮＳＳの測定結果が利用可能な場合に、考慮される前記ＧＮＳＳの測定結果とともに補正される補正工程とを含む請求項１〜１０のいずれか一項に記載の方法。
【請求項１２】
全ての予測工程は、固定数（Ｎ）の連続する時間更新工程を具備する請求項１１に記載の方法。
【請求項１３】
補正工程それぞれにおいて、測定されるホイールティック数に基づく生の車輪速度（Ｔl及びＴr）から前記左前輪（３ａ）の前記速度ｖl及び前記右前輪（３ｂ）の前記速度ｖrを決定するために使用されるホイール較正係数（ｆl及びｆr）は、再較正される請求項１１又は１２に記載の方法。
【請求項１４】
請求項１〜１３のいずれか一項に記載の方法を実行するために車両で利用可能な追跡装置（４）であって、
ホイールティックユニット（５ａ及び５ｂ）からデータを受信する入力ライン、及び少なくとも１つの基準位置（ｘref）を提供する出力ライン、並びに処理及びデータ記憶手段を有し、
左前輪（３ａ）の速度ｖlを示すセンサ測定結果及び右前輪（３ｂ）の速度ｖrを示すセンサ測定結果を受信し、
前記左前輪（３ａ）の前記速度ｖlの値及び前記右前輪（３ｂ）の前記速度ｖrの値を前記センサ測定結果から導き出し、
前記左前輪（３ａ）の前記速度ｖl及び前記右前輪（３ｂ）の前記速度ｖrから演算かじ取り角δcalの関数を演算することであって、前記演算かじ取り角δcalは、かじ取り角間隔に亘って変化し、
前記演算かじ取り角δcalの前記関数を使用して前記車両の速度ｖ及び方位変化ｈを演算し、
前記車両の前記演算された速度ｖ及び方位変化ｈを使用して、前記車両の先の位置及び方位に基づいて前記車両の前記位置（ｘref）及び前記方位（Ｈ）の値を演算する、
ように構成され、
前記方位変化ｈを演算するために使用される前記演算かじ取り角δcalの前記関数に反映される前記演算かじ取り角δcalは、前記かじ取り角間隔の少なくとも一部において、
【数８】
2012098270.tif 000114
に従い演算される正確なかじ取り角δexから
【数９】
2012098270.tif 000115
として規定される近似的なかじ取り角の前記正確なかじ取り角δexからの逸脱より小さく逸脱し、ａはホイールベースで分割したフロントトラックゲージの半分であり、
【数１０】
2012098270.tif 000116
である追跡装置（４）。
【請求項１５】
前記かじ取り角間隔の全体で、前記正確なかじ取り角δexからの前記演算かじ取り角δcalの逸脱の範囲は、２°よりも小さく、好適には１°よりも小さい請求項１４に記載の追跡装置（４）。
【請求項１６】
前記近似的なかじ取り角δappの関数を演算し、前記近似的なかじ取り角δappがしきい値かじ取り角（δthr）よりも小さい場合、前記演算かじ取り角δcalが前記近似的なかじ取り角δappに等しいことが反映される前記方位変化ｈの演算で前記かじ取り角の関数を使用するように構成され、前記近似的なかじ取り角δappが前記しきい値かじ取り角（δthr）よりも大きい場合、前記関数は、前記演算かじ取り角δcalが前記近似的なかじ取り角δappと異なり、前記演算かじ取り角δcalが前記近似的なかじ取り角δappの関数から決定されることが反映する請求項１４又は１５に記載の追跡装置（４）。
【請求項１７】
前記近似的なかじ取り角δappの前記関数からの前記演算かじ取り角δcalの前記関数の前記決定において、前記正確なかじ取り角δexの関数の値と、前記近似的なかじ取り角δappの対応する値の関数とからなる対が記憶されるルックアップテーブルを使用するように構成される請求項１６に記載の追跡装置（４）。
【請求項１８】
前記近似的なかじ取り角δappの前記関数の値が前記ルックアップテーブルに記憶されるかじ取り角の２つの値の間である場合に、補間、好適には線形補間を使用するように構成される請求項１７に記載の追跡装置（４）。
【請求項１９】
ＧＮＳＳアンテナ（６）から信号を受信する少なくとも１つの入力ラインをさらに有し、連続するフィルタサイクルを実行するように構成される追跡装置であって、フィルタサイクルそれぞれは、それぞれの場合に前記車両の前記位置（ｘref）及び前記方位（Ｈ）の値が、前記速度ｖ及び方向変化ｈから演算され、演算それぞれは前記位置（ｘref）及び前記方位（Ｈ）の先に確立された値に基づく少なくとも１つの時間更新工程と、前記予測工程で演算された前記位置（ｘref）及び前記方位（Ｈ）の前記値が、ＧＮＳＳの測定結果が利用可能な場合に、考慮される前記ＧＮＳＳの測定結果とともに補正される補正工程とを含む請求項１４〜１８のいずれか一項に記載の追跡装置（４）。
【発明の詳細な説明】
【技術分野】
【０００１】
本発明は、推測航法による追跡を使用して車両の位置及び方位を記録する方法に関する。この方法は、車及び他の車両で使用され、特にトンネル及び駐車場などにおいてＧＮＳＳ信号が一時的に非常に弱いとき又は利用可能でないときに、ＧＮＳＳによる車両位置の決定を補完することが多い。また、本発明は、その方法を実行する追跡装置に関する。
【背景技術】
【０００２】
センサ測定結果から導き出される後輪の速度を使用する推測航法による車両の位置及び方位の追跡方法は、周知である。また、前輪の速度のみを使用する方法が提案されているが、かじ取り角（wheel angle）が変化するために前輪の速度の評価はより複雑である。現在のところ、左右前輪の速度に車両の速度及び方位変化に関する近似解のみが採用されている（非特許文献１参照）。この文献によると、かじ取り角は、反復方法によって決定される。使用する近似は、大きなかじ取り角を除外できない場合に、追跡の精度が落ちる可能性がある。
【先行技術文献】
【非特許文献】
【０００３】
【非特許文献１】Ch. Hollenstein, E. Favey, C. Schmid, A. Somieski, D. Ammann: ‘Performance of a Low-cost Real-time Navigation System using Single-frequency GNSS Measurements Combined with Wheel-tick Data’, Proceedings of ION GNSS 2008 Meeting, Savannah, September 2008
【発明の概要】
【発明が解決しようとする課題】
【０００４】
本発明の目的は、請求項１に記載の前提部に従う車両の位置及び方位を記録する方法の精度の改良を提供することである。この目的は、請求項１の特徴部の特徴により達成される。
【課題を解決するための手段】
【０００５】
本発明に係る方法の利点は、地下の駐車場及び同様な環境などで同時にＧＮＳＳ信号が弱くなり又は欠如するときなどで、かじ取り角が大きいときに特に示される。本方法は、必要な処理動力及び費用に関して非常に効率的な方法で実施可能である。
【０００６】
センサ測定結果は、ＧＮＳＳの測定結果と組み合わせて使用できる。ここで、双方を、密結合のカルマンフィルタ（a tightly coupled Kalman filter）に供給することなどによって、利用可能になる。
【０００７】
本発明の他の目的は、本発明に係る方法を実行するのに適する追跡装置を提供することである。
【０００８】
以下、本発明は、図面を参照してより詳細に説明されるが、これらは典型的な実施形態を説明するのみである。
【図面の簡単な説明】
【０００９】
【図１】本発明に従う追跡装置を有する車両、及び本発明に従う方法を使用して追跡される車両の位置及び方位を示す図である。
【図２】本発明に従う方法のフローを概略的に示す図である。
【図３】図２のフローの一部をより詳細に示す図である。
【図４】図１に示す中間のかじ取り角δの近似解及び正確な解を示す図である。
【発明を実施するための形態】
【００１０】
車両において、いわゆる「推測航法（dead reckoning）」は、車輪の速度を決定し、その結果を車両の位置の基礎として、ＧＮＳＳと組み合わせるか、又はＧＮＳＳが利用できないときには単体で使用して、車両の位置を追跡するために使用されることが多い。推測航法及びＧＮＳＳの追跡演算は、通常は車両の構成素子であるか又は車両に取り付けられる適当な追跡装置で実行され、その結果が表示され、又は他の手段で使用される。
【００１１】
通常、車輪速度（wheel velocity）は、センサ測定結果から決定される。これは、一般に「ホイールティック（wheel tick）」と称され、固定の角度増分（fixed angular increments）により分割された特定の回転位置で作り出される。後輪からのセンサ測定結果が使用される場合、かじ取り角が一定かつゼロに等しいと仮定されるので、導出される車両の速度及び角速度は通常複雑ではない。
【００１２】
しかしながら、後輪からのセンサ測定結果が利用できず、速度及び角速度を前輪のセンサ測定結果のみから抽出しなければならない場合がある。これは、より複雑な演算を考慮する必要があり、利用できる場合はホイールティックから抽出しなければならず、さもなければ直接的な測定結果などから抽出しなければならない。
【００１３】
以下、かじ取り角を前輪のセンサ測定結果のみから導き出さなければならない場合が詳細に説明される。車両（図１）は、後輪２ａ及び２ｂ並びに前輪３ａ及び３ｂを搭載する剛体フレーム（rigid frame）１を具備すると仮定される。車両は、前輪３ａ及び３ｂの中心を貫通する垂直軸のまわりを前輪３ａ及び３ｂが回転可能であり、かじ取り角が、車両の直線的動作に相当する０度を含む間隔（interval）をカバーすると仮定できるので、かじ取りが可能になる。追跡設備は、フレーム１に固定される追跡装置４と、前輪３ａ及び３ｂの回転を監視するホイールティックユニット５ａ及び５ｂ又は前輪３ａ及び３ｂの車輪速度を導き出すことができるセンサ測定結果を作り出す他のセンサーとを具備する。また、フレーム１に搭載されるＧＮＳＳアンテナ６は、ホイールティックユニット５ａ及び５ｂと同様に追跡装置４にデータを供給する。追跡装置４は、車両の位置及び方位並びにＧＮＳＳアンテナで受信するＧＮＳＳ信号を抽出するために、センサ測定結果、すなわちホイールティックユニット５ａ及び５ｂからの信号を処理するように構成される。また、追跡装置４は、データを記憶及び処理する構成素子とともに、目的のために必要な結果などを出力する構成素子を含む。フレーム１並びに後輪２ａ及び２ｂ並びに前輪３ａ及び３ｂのサスペンションは、後輪２ａ及び２ｂと、前輪３ａ及び３ｂとの間の中点を通る対象軸に対して対称であると仮定される。
【００１４】
以下の導出において、すべりはないものと仮定される。また、いずれの場合においてもホイールの中心の瞬時動作は、かじ取り角で暗示される方向に進むと仮定される。さらに、簡単にするために、北方向（ｎ）及び東方向（ｅ）で規定される水平面を移動すると仮定される。したがって、面内の全てのベクトルｘは、北成分及び東成分からなる。すなわち、ｘ＝（ｘ(n)，ｘ(e)）となる。車両が移動する面が傾斜する場合、動きを水平面上に投射するように容易化される。
【００１５】
一例では、車両の状態は、車両のフレーム１に固定される基準点ｘref＝（ｘref(n)，ｘref(e)）の位置と、方位Ｈ、すなわち北方向及びフレームの長手方向の間の角度とによって説明できる。ここで角度は、時計回り方向で測定される。
【００１６】
車両位置の推測航法において、長さΔｔの（ｋ＋１）番目の時間更新間隔の終了時に車両が仮定する新しい状態は、運動方程式を使用して先の時間更新間隔の終了時における状態から導き出すことができる。
【数１】
2012098270.tif 000003
【数２】
2012098270.tif 000004
【数３】
2012098270.tif 000005
ここでｖは、瞬時のスカラー速度であり、ｈは、瞬時の方位変化、すなわち車両の角速度である。しがたって、時間更新工程ごとに、スカラー速度ｖ及び方位変化ｈは、左右の前輪の速度ｖl及びｖrから決定しなければならない。これらは、ホイールの半径に依存するホイールティック較正係数ｆl及びｆrによって以下の式に従って時間間隔Δｔの間に記憶されるホイールティックの数から導き出される生の速度Ｔl及びＴrに対応する。
【数４】
2012098270.tif 000006
【数５】
2012098270.tif 000007
【００１７】
以下において簡単のために、車両は、このとき東方向に向いている、すなわち方位Ｈは９０°に等しいと仮定され、後輪の中心間の中点として規定される車両の基準点ｘrefは、原点Ｏであると仮定される（図１）。これによって、以下の導出は、上述の固定座標システム上で簡単な方法で実行可能である。結果は、車両の平面上の位置及び方向に依存しないので、これにより、一般性の喪失は暗示されない。
【００１８】
これらの仮定に従うと、
【数６】
2012098270.tif 000008
であり、前輪の中心間の中点は、
【数７】
2012098270.tif 000009
である。ここでｌは、車両のホイールベースである。前輪の中心は、
【数８】
2012098270.tif 000010
【数９】
2012098270.tif 000011
である。ここでｂは、フロントトラックゲージ（front track gauge）の半分に等しい。
【００１９】
車両、すなわち車両の基準点ｘrefは、このとき東方向に速度ｖで移動する。
【数１０】
2012098270.tif 000012
【００２０】
関連する他の点ｖf、ｖl及びｖrは、
【数１１】
2012098270.tif 000013
【数１２】
2012098270.tif 000014
【数１３】
2012098270.tif 000015
で示される。ここで、ｖf、ｖl及びｖrそれぞれは、スカラベクトルすなわち、それぞれのベクトルの大きさを示す。δl及びδrは、左右それぞれの前輪のかじ取り角であり、中間のかじ取り角δは、東方向及びｖfの動作の瞬時の方向の間の角度である。
【００２１】
【数１４】
2012098270.tif 000016
【数１５】
2012098270.tif 000017
を規定する。ここでｒは、ｘrefと（−ｒ、０）における車両の回転の瞬時の中心Ｃとの間の距離であり、
【数１６】
2012098270.tif 000018
である。
【数１７】
2012098270.tif 000019
を得る。そして最終的に、
【数１８】
2012098270.tif 000020
となる。
【００２２】
同様に
【数１９】
2012098270.tif 000021
から、
【数２０】
2012098270.tif 000022
を得る。
【００２３】
車両の剛性から
【数２１】
2012098270.tif 000023
となり、式（５）〜（９）を考慮すると、
【数２２】
2012098270.tif 000024
及び
【数２３】
2012098270.tif 000025
となり、最終的には式（９）から
【数２４】
2012098270.tif 000026
となる。
【００２４】
ｘl及びｘrのために同様な方法を使用すると、
【数２５】
2012098270.tif 000027
【数２６】
2012098270.tif 000028
と、
【数２７】
2012098270.tif 000029
【数２８】
2012098270.tif 000030
とを得る。
【数２９】
2012098270.tif 000031
であるので、（１３ａ）及び（１３ｂ）により、
【数３０】
2012098270.tif 000032
【数３１】
2012098270.tif 000033
と、
【数３２】
2012098270.tif 000034
【数３３】
2012098270.tif 000035
となる。
【００２５】
スカラ方位変化は、
【数３４】
2012098270.tif 000036
である。ここで、下付き文字⊥は、車両の長手軸に垂直であるベクトル成分を示す。これから
【数３５】
2012098270.tif 000037
が導き出される。ここで、時計回り方向の方位変化は、正の符号を有する。
【００２６】
Ｖ+及びＶ-は、
【数３６】
2012098270.tif 000038
及び
【数３７】
2012098270.tif 000039
として規定する。式（２０ａ）及び（２０ｂ）から、
【数３８】
2012098270.tif 000040
及び
【数３９】
2012098270.tif 000041
すなわち
【数４０】
2012098270.tif 000042
及び
【数４１】
2012098270.tif 000043
となり、最終的に、
【数４２】
2012098270.tif 000044
となる。
【００２７】
このｖ2の２次方程式は、平方根の前にプラス符号及びマイナス符号を有する２つの分岐を有する解
【数４３】
2012098270.tif 000045
を有する。
【００２８】
【数４４】
2012098270.tif 000046
によって、式（２９）は、
【数４５】
2012098270.tif 000047
となるので、ｖについて
【数４６】
2012098270.tif 000048
を得る。ここで正数のｖは、車両の前方への移動を示し、負数のｖは、車両の後方への移動を示す。式（２７）及び（３１）は、式（３０）とともに、かじ取り角δの正接及びかじ取り角自体について式（２０ａ）及び（２０ｂ）の正確な解を導き出す。
【数４７】
2012098270.tif 000049
【数４８】
2012098270.tif 000050
式（３３）は、反転でき、Ｐは、ｙ＝ｔａｎδexの関数で表すことができる。
【数４９】
2012098270.tif 000051
【００２９】
この非対称関数は、
【数５０】
2012098270.tif 000052
【数５１】
2012098270.tif 000053
において極値を有する。ここで、
【数５２】
2012098270.tif 000054
【数５３】
2012098270.tif 000055
である。
【００３０】
これらは、式（３１）の平方根の独立変数はゼロであり、δexは、
【数５４】
2012098270.tif 000056
【数５５】
2012098270.tif 000057
の値であると仮定する場合のＰの値である。
【００３１】
０‐車両の直線的な動き‐を含むδexの範囲に対応する解（３１）の分岐は、式（３１）及びこれから得られる式（３３）及び（３４）の平方根にプラス符号が付され、０≦｜δex｜≦δlimに適用される第１の分岐である。ここでδlim＝δex（Ｐmax）である。一方、平方根にマイナス符号が付される第２の分岐は、δlim≦｜δex｜≦９０をカバーする。これは、｜δex｜がδlimよりも大きい値である場合、解は、δlim及び−δlimを囲むδexの部分的範囲のいずれでも一義的でないことを暗示する。２つの解があり、瞬時の車輪速度のみに基づいて正しい解を選別することが不可能なためである。しかしながら、δex＝δlimでは、式（１３ｂ）によって、
【数５６】
2012098270.tif 000058
であり、右前輪のかじ取り角δrが機械的な制約などによってδr≦δwlimに限定され、‐そして対称性により‐左前輪のかじ取り角δlが、δl≧−δwlimに限定される限り、式（３１）、（３３）及び（３４）の第１の分岐が適用できて、解は、一義的である。δwlimは、常に４５°よりも大きく、多くの車両でかじ取り角が４５°よりも小さい値に限定されるので、以下において、０≦｜δex｜≦δlimが保持されると仮定されている。
【００３２】
この仮定によって、式（３１）〜（３４）は、
【数５７】
2012098270.tif 000059
【数５８】
2012098270.tif 000060
【数５９】
2012098270.tif 000061
【数６０】
2012098270.tif 000062
と記載し直すことができる。
【００３３】
次いで、方位変化ｈは、式（２２）、（４１）及び（４２）から
【数６１】
2012098270.tif 000063
として導き出すことができる。
【００３４】
このように導き出したｖ、δ及びｈの正確な解は、かなり複雑である。具体的には、スカラ車輪速度ｖl及びｈrに依存するｖ及びｈが、カルマンフィルタ又は最小二乗法若しくは同様な方程式において使用される場合に必要な導関数において、より扱いにくい式をもたらす。したがって、処理動力及び処理時間が制限される場合、リアルタイムの状況でこれらを実行することは、実用的ではないことが多い。しかしながら、少なくともかじ取り角が大きくなりすぎない限り、通常は十分に良好であり、かつより扱いやすい近似値がある。かじ取り角が大きい場合、この近似値は、適当に補正できる。
【００３５】
幾何学的考察からそれ自体周知である比較的簡単な近似解は、式（２０ａ）及び（２０ｂ）から開始して展開できる。式（２０ａ）は、
【数６２】
2012098270.tif 000064
として書き直すことができる。
【００３６】
次いで、平方根は、
【数６３】
2012098270.tif 000065
について展開、すなわち線形化できる。これによって、
【数６４】
2012098270.tif 000066
を得る。
【００３７】
次数がより高い項を無視すると、
【数６５】
2012098270.tif 000067
【数６６】
2012098270.tif 000068
に達する。ここで、添え字ａｐｐは、「近似（approximate）」を意味し、ｖrは、上述のｖlの導出と全体的に類似する方法で導き出されている。
【００３８】
式（４７ａ）及び（４７ｂ）から
【数６７】
2012098270.tif 000069
及び
【数６８】
2012098270.tif 000070
となる。
【００３９】
【数６９】
2012098270.tif 000071
を規定する。
【００４０】
【数７０】
2012098270.tif 000072
すなわち
【数７１】
2012098270.tif 000073
が分かる。
【００４１】
ここで、δappによって、式（４８）から近似解を抽出できる。
【数７２】
2012098270.tif 000074
そして、式（４９）から式（２２）によって、
【数７３】
2012098270.tif 000075
となる。
【００４２】
式（２２）を使用して式（４７ａ）及び（４７ｂ）は、
【数７４】
2012098270.tif 000076
【数７５】
2012098270.tif 000077
のように書き直すことができる。このため、式（５３）及び（５４）は、容易に導き出すことができる。
【００４３】
この近似解は、かじ取り角が大きすぎない限り、すなわち、δapp＜δthrである限り、通常は十分に良好である。ここで、δthrは、車両の配置及び要求される精度に依存するかじ取り角のしきい値であり、通常は３０°と４０°との間であろう。δappがδthrよりも大きい場合、具体的には、δappが４５°に接近する場合、近似解は、著しく逸脱する傾向があり、不十分な結果を得ることが多い。しかしながら、近似は、δappをδexに置換することによって、式（５３）及び（５４）におけるδappの大きな値を最も実用的な目的に適当な範囲に改良できることが理解される。これによって、式（４１）及び（４４）に従う正確な結果と、式（５３）及び（５４）に従う近似的な結果との中間の結果を得る。しかしながら、これは、大きなかじ取り角であっても正確な結果に非常に近づく。
【数７６】
2012098270.tif 000078
【数７７】
2012098270.tif 000079
【００４４】
速度ｖ及び方位変化ｈの近似的な結果及び中間の結果は、演算かじ取り角δcalの選択のみにより異なり、近似的な結果の場合がδappに等しく、中間の結果の場合がδexに等しい。
【００４５】
δexは以下のようにδappから直接演算できる。
【数７８】
2012098270.tif 000080
によって、
【数７９】
2012098270.tif 000081
すなわち
【数８０】
2012098270.tif 000082
を得る。これは、式（４２）とともに
【数８１】
2012098270.tif 000083
及び
【数８２】
2012098270.tif 000084
をもたらす。
【００４６】
式（５１）及び（６１）を考え合わせると、δappの関数としてδexを得る。
【００４７】
同様に、逆、すなわちδexの関数としてのδappの演算が可能である。式（２０ａ）及び（２０ｂ）から、
【数８３】
2012098270.tif 000085
となる。これを式（５２）とともに使用して、δappからδexを演算できる。いくつかの場合、車両の形状に依存する固定パラメータａのみが演算に入力される。
【００４８】
図２を考慮すると、本発明に従う方法は、最も理解できる。図２は概要を提供する。車両の位置を追跡するために、それぞれがサイクル間隔をカバーする連続するフィルタサイクルが追跡装置４で実行される。好適には使用される密結合のカルマンフィルタの完全なフィルタサイクルは、予測工程と、補正工程とを含む。補正工程は、ＧＮＳＳの測定結果が利用可能な場合にＧＮＳＳの測定結果をも考慮に入れる。カルマンフィルタを使用することによって、測定結果に通常作用するランダムな影響に的確に対処できる。
【００４９】
予測工程は、それぞれが測定間隔ΔｔをカバーするＮ個の時間更新工程からなる。例えば、Δｔが０．１ｓであり、Ｎが１０であると、更新工程は、１ｓなどの期間を有するサイクル間隔ＮΔｔをカバーする。予測工程の開始において、車両の状態ベクトルは、先のサイクル間隔の終了又は処理の開始においていくつかの初期値に決定され、位置及び方位の開始値ｘref0及びＨ0並びにホイールティック較正係数ｆｌ及びｆｒを提供する。
【００５０】
時間更新工程の間、追跡装置４において以下の動作が実行される（図３）。
【００５１】
左前輪３ａの生の速度Ｔl及び左前輪３ｂの生の速度Ｔrは、Ｎ個の時間更新間隔のそれぞれでホイールティックユニット５ａ及び５ｂに記録されるホイールティック数から導き出される。ホイールティック数は、ローパスフィルタでフィルタリングされて、ランダムな変動が平滑化される。
【００５２】
車輪速度ｖl及びｖrは、第１の測定結果間隔に割り当てられる生の車輪速度Ｔl及びＴrと、式（４ａ）及び（４ｂ）を使用してサイクル間隔を通じて一定であると仮定されるホイールティック較正係数ｆl及びｆrから演算される。位置ｘref1及び方位Ｈ1の新たな値は、かじ取り角ｖl及びｖrから第１に決定されており、かつ速度ｖ及び方位変化ｈを演算するために使用される演算かじ取り角δcalとともにｋ＝０で式（１）〜（３）を使用して決定される。
【００５３】
次いで、ｋは、ｋ＋１に置換され、それぞれの場合において、新しい状態の演算後に処理が終了するｋ＝Ｎまで、開始点として使用される先の測定間隔から終了点により繰り返される（図２）。このように、サイクル間隔の間に車両がカバーする軌跡は、それぞれが時間更新工程に相当する一連のＮ個の線形部に近似される。演算かじ取り角δcalは、いずれの時間更新工程においても一定であると仮定されるが、共分散行列は、演算に使用される角度の値に実際に影響を与えるランダム係数として考慮する処理ノイズを付加するように修正される。
【００５４】
状態情報及び精度情報を有するＮ個などの更新工程の予測工程の結果は、ＧＮＳＳの測定結果が利用可能である場合、ＧＮＳＳの測定結果をも処理する密結合のカルマンフィルタの補正工程で使用される。フィルタサイクルを終了させて、次のフィルタサイクルで予測工程の第１の時間更新工程で開始点ｘref0及び方位Ｈ0として使用可能な補正位置ｘrefN及びＨN並びに再較正されたホイールティック較正係数ｆl及びｆrを含む新しい状態ベクトルが決定される。位置及び方位は、表示又は他の目的のために追跡装置４から出力され、ナビゲーション装置などで処理されて使用される。
【００５５】
上述の式（１）〜（３）を使用するためには、全ての時間更新間隔において、ｖ及びｈの値が先に演算される必要がある。これは、かじ取り角δを限定し、かつほぼ０°で通常は対称である、すなわち〔−δmax，＋δmax〕が等しいかじ取り角間隔で、ｖ及びｈが、
【数８４】
2012098270.tif 000086
【数８５】
2012098270.tif 000087
のように演算できるように、演算かじ取り角δcalを決定する必要がある。ここで、δmaxは、車両の機械特性に依存するいくつかの定数であり、おおよそ３５°と４２°の間にしてもよい。いくつかの場合、δmaxは、δlimよりも大きくないと仮定される。
【００５６】
ｖ及びｈを演算するために、式（５２）をそれぞれの場合に使用して、δappを第１に決定する。｜δapp｜≦δthrなどδappが大きすぎない場合、｜δapp｜≦δthrにおいて、δappがδexで囲まれる許容範囲内であり、δcalは、δappに等しくなるように設定される。ここで、δthrは固定されたしきい値である。許容範囲は、δexの代わりにδappを使用することにより導入される誤差が大幅ではないことを保証するために、内部のいずれかの角度がδexに十分に近接することを考慮して決定される。｜δapp｜＞δthrにより規定される領域など、δappが許容範囲内ではないかじ取り角間隔の部分において、同一からの逸脱がδappよりも小さいδexへの近似を使用しなければならない。好適には、δexに実質的に等しいδcalの値を使用しなければならない。すなわち、δcalは、
【数８６】
2012098270.tif 000088
に従って決定できる。
【００５７】
式（６５）からのδcalの値を式（６３）及び（６４）において使用できる。δexについての許容範囲は、許容可能な逸脱のある量又はパーセンテージなどで規定できる。例えば、２°よりも大きくない逸脱、好適には１°よりも大きくない逸脱である。絶対的又は相対的な項における速度ｖ又は方位変化若しくは双方の最大許容可能逸脱などの他の基準も可能である。
【００５８】
図４は、許容可能な逸脱が±１°であるa＝０．３１の状態を示す。δappが、δex±１°の許容範囲内である場合、δcalは、δappに等しく設定される。δapp＝δthrにおいて、δappが許容範囲の境界に達する場合、δcalはδexに切替えられる。
【００５９】
｜δapp｜＞δthrの場合にδexに近い近似値にδappを置換する最も一般的な方法は、ルックアップテーブルを使用することである。適当に間隔を空けたδexの値の列のそれぞれ１つについて、δappに対応する値を含み、δappの値は、下方でδthrによって境界され、かつδexがδmaxに等しいときδexに対応するδappの値によって上方で境界される間隔をカバーする。適当なテーブルは、公式（５２）及び（６２）を使用して所与の車両のために全て一度演算されて、恒久的に記憶される。｜δapp｜＞δthrであるいずれの値のδappにおいても、δexの対応する値は、テーブルから読み出される近接する値の間の線形の補間などによって決定できる。この方法は、追跡装置４において多くの処理動力を要せず、かつメモリの必需量も少量である。
【００６０】
しかしながら、δ自体と値が異なるδ´の関数を使用すること、すなわち同一の関数とは異なる関数を使用することも可能である。
【００６１】
例えば、式（５１）からｔａｎδappの式を導き出すことが可能である。ｐは、
【数８７】
2012098270.tif 000089
で表される。ｔａｎδappの二次方程式の解
【数８８】
2012098270.tif 000090
がもたらされる。式（６２）とともに、これはｔａｎδexの関数としてｔａｎδappを得る。ゼロの近傍では、ｐのこの関数が限定されず、線形近似によって、
【数８９】
2012098270.tif 000091
に置換できる。
【００６２】
また逆も同様に、ｔａｎδexは、式（６０）にｐを挿入して式（６６）からｔａｎδappの関数として表すことができる。これらの関係を使用して、ｔａｎδappの関数としてのｔａｎδexの値を含むルックアップテーブルを演算し、かつ恒久的に記憶することができる。
【００６３】
次いで、ｔａｎδcalを演算で使用できる。ここで、
【数９０】
2012098270.tif 000092
又は同等に
【数９１】
2012098270.tif 000093
と規定される。
【００６４】
次いで、ｃｏｓδcalは、式（６３）及び（６４）に従ってｖim及びｈimを演算するために、ｔａｎδcalの関数として、
【数９２】
2012098270.tif 000094
として表すことができる。
【００６５】
しかしながら、式（６３）及び（６４）を使用する場合、余弦を直接使用することがより都合が良い。ｃｏｓδappは、式（５１）から以下のように導き出すことができる。
【数９３】
2012098270.tif 000095
ｃｏｓ2δappの二次方程式を導くと、
【数９４】
2012098270.tif 000096
となり、余弦の解は、
【数９５】
2012098270.tif 000097
となる。ここで再び、ｃｏｓδexは、ｃｏｓδappの関数として表すことができる。例えば、正接によって、
【数９６】
2012098270.tif 000098
及び
【数９７】
2012098270.tif 000099
となり、また逆も同様である。これを使用して、ｃｏｓδapp及びｃｏｓδexの対応する対を有するルックアップテーブルを用意できる。これから｜δapp｜＞δthr又は同等に｜ｃｏｓδapp｜＜ｃｏｓδthrのために，ｃｏｓδcalが容易に決定できる。
【００６６】
いくらか異なるｖimは、
【数９８】
2012098270.tif 000100
又は同様に
【数９９】
2012098270.tif 000101
を使用してｔａｎδexから演算できる。これは、式（４１）及び（４２）から容易に導き出すことができ、ｖのための方程式（２０ａ）及び（２０ｂ）の正確な解を得る。具体的には、式（７５）又は（７６）は、ｔａｎδexがδapp＞δthrなどむしろ大きい場合に採用でき、式（６３）は、より小さなδappで使用される。しかし、ｔａｎδcalなどによる全ての範囲に亘って公式を使用することができる。
【００６７】
一方、ｈimは、ｖim‐式（６３）に従う演算又は式（７５）又は（７６）に従う演算‐と、式（２２）を使用するｔａｎδexとから導き出すこともできる。すなわち、
【数１００】
2012098270.tif 000102
である。これは、式（７５）及び（７６）を使用してｖimを演算する場合、
【数１０１】
2012098270.tif 000103
又は同様に
【数１０２】
2012098270.tif 000104
に対応する。これは式（４４）に従って演算されるｈに等しい。すなわち式（２０ａ）から得る正確な解である。再びここで、δapp＞δthr又は全ての範囲に亘ってｔａｎδcalについて式（７７）のみを使用できる。
【００６８】
中間値ｖim及びｈimを簡明な公式（６３）及び（６４）に従って演算するときに使用することは、演算かじ取り角δcalが〔−３５°，＋３５°〕の間隔を超えて変化する場合ですら多くの場合、適切であることが理解される。
【００６９】
十分な処理能力が利用可能である場合、ルックアップテーブルを使用する代わりにδappから直接的にδexを演算するために公式（５２）及び（６１）を使用することができ、ｔａｎδappから直接的にｔａｎδexを演算するために公式（６６）及び（６０）を使用することができる。さらに、式（２３）、（２４）及び（３０）とともに、速度ｖ及び方位変化ｈを得る公式（４１）及び（４４）を使用することができる。これらは、式（２０ａ）及び（２０ｂ）の正確な解であり、かじ取り角にδexを使用し、ｖ及びｈそれぞれに式（７５）又は（７６）及び（７７）を使用する解に対応する。
【００７０】
予測工程に次いでフィルタサイクルを終了させるカルマンフィルタ補正工程において、ＧＮＳＳの観測方程式は除き、状態ｖ、ｈ、ｆl及びｆrの関数として生の車輪速度Ｔl及びＴrを表す観測方程式は、δcalがパラメータとして計算される場合に使用される。例えば、式（５５ａ）及び（５５ｂ）に対応する方程式
【数１０３】
2012098270.tif 000105
【数１０４】
2012098270.tif 000106
は、式（４ａ）及び（４ｂ）それぞれに従い表されるｖl及びｖrとともに採用され、δappはδcalに置換され、Ｔl及びＴrは、観察結果として扱われ、ｆl、ｆr、ｖ及びｈは未知である。
【符号の説明】
【００７１】
１    フレーム
２ａ、２ｂ    後輪
３ａ、３ｂ    前輪
４    追跡装置
５ａ、５ｂ    ホイールティックユニット
６    ＧＮＳＳアンテナ
【図１】
2012098270.tif 000117
【図２】
2012098270.tif 000118
【図３】
2012098270.tif 000119
【図４】
2012098270.tif 000120
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
左前輪（３ａ）の速度ｖlを示すパラメータ及び右前輪（３ｂ）の速度ｖrを示すパラメータを測定し、
前記左前輪（３ａ）の前記速度ｖlの値及び前記右前輪（３ｂ）の前記速度ｖrの値を前記パラメータから導き出し、
前記左前輪（３ａ）の前記速度ｖl及び前記右前輪（３ｂ）の前記速度ｖrから演算かじ取り角δcalの関数を演算することであって、前記演算かじ取り角は、かじ取り角間隔に亘って変化し、
前記演算かじ取り角δcalの前記関数を使用して前記車両の速度ｖ及び方位変化ｈを演算し、
前記車両の前記演算された速度ｖ及び方位変化ｈを使用して、前記車両の先の位置及び方位に基づいて前記車両の位置（ｘref）及び方位（Ｈ）の値を演算する、
ことを具備する前輪（３ａ）及び（３ｂ）の速度に基づく推測航法を少なくとも断続的に使用して車両の位置（ｘref）及び方位（Ｈ）を追跡する方法であって、
前記方位変化ｈを演算するために使用される前記演算かじ取り角δcalの前記関数に反映される前記演算かじ取り角δcalは、前記かじ取り角間隔の少なくとも一部において、
【数１】
2012098270.tif 000121
に従い演算される正確なかじ取り角δexから
【数２】
2012098270.tif 000122
として規定される近似的なかじ取り角の前記正確なかじ取り角δexからの逸脱より小さく逸脱し、ａはホイールベースで分割したフロントトラックゲージの半分であり、
【数３】
2012098270.tif 000123
である方法。
【請求項２】
前記かじ取り角間隔の全体で、前記正確なかじ取り角δexからの前記演算かじ取り角δcalの逸脱の範囲は、２°よりも小さい請求項１に記載の方法。
【請求項３】
前記かじ取り角間隔の全体で、前記正確なかじ取り角δexからの前記演算かじ取り角δcalの逸脱の範囲は、１°よりも小さい請求項１に記載の方法。
【請求項４】
前記近似的なかじ取り角δappの関数が演算され、前記近似的なかじ取り角δappがしきい値かじ取り角（δthr）よりも小さい場合、前記方位変化ｈの演算で使用される前記かじ取り角の関数は、前記演算かじ取り角δcalが前記近似的なかじ取り角δappに等しいことが反映され、前記近似的なかじ取り角δappが前記しきい値かじ取り角（δthr）よりも大きい場合、前記関数は、前記演算かじ取り角δcalが前記近似的なかじ取り角δappと異なり、前記演算かじ取り角δcalが前記近似的なかじ取り角δappの関数から決定されることが反映される請求項１〜３のいずれか一項に記載の方法。
【請求項５】
前記近似的なかじ取り角δappの前記関数からの前記演算かじ取り角δcalの前記関数の前記決定において、前記正確なかじ取り角δexの関数の値と、前記近似的なかじ取り角δappの対応する値の関数とからなる対が記憶されるルックアップテーブルが使用される請求項４に記載の方法。
【請求項６】
前記近似的なかじ取り角δappの前記関数の値が前記ルックアップテーブルに記憶されるかじ取り角の２つの値の間である場合に、補間が使用される請求項５に記載の方法。
【請求項７】
前記車両の前記速度ｖは、
【数４】
2012098270.tif 000124
として演算される請求項１〜６のいずれか一項に記載の方法。
【請求項８】
前記車両の前記速度ｖは、
【数５】
2012098270.tif 000125
として演算される請求項１〜６のいずれか一項に記載の方法。
【請求項９】
前記方位変化ｈは、
【数６】
2012098270.tif 000126
として演算され、ｌは前記ホイールベースである請求項１〜８のいずれか一項に記載の方法。
【請求項１０】
前記車両の前記方位変化ｈは、
【数７】
2012098270.tif 000127
として演算され、ｂは前記フロントトラックゲージの半分である請求項１〜８のいずれか一項に記載の方法。
【請求項１１】
前記演算かじ取り角δcalは、間隔〔−３５°，＋３５°〕を含む範囲に亘り変化する請求項１〜１０のいずれか一項に記載の方法。
【請求項１２】
連続するフィルタサイクルで構成される方法であって、フィルタサイクルそれぞれは、それぞれの場合に前記車両の前記位置（ｘref）及び前記方位（Ｈ）の値が、前記速度ｖ及び前記方向変化ｈから演算され、演算それぞれは前記位置（ｘref）及び前記方位（Ｈ）の先に確立された値に基づく少なくとも１つの時間更新工程と、前記予測工程で演算された前記位置（ｘref）及び前記方位（Ｈ）の前記値が、ＧＮＳＳの測定結果が利用可能な場合に、考慮される前記ＧＮＳＳの測定結果とともに補正される補正工程とを含む請求項１〜１１のいずれか一項に記載の方法。
【請求項１３】
全ての予測工程は、固定数（Ｎ）の連続する時間更新工程を具備する請求項１２に記載の方法。
【請求項１４】
補正工程それぞれにおいて、測定されるホイールティック数に基づく生の車輪速度（Ｔl及びＴr）から前記左前輪（３ａ）の前記速度ｖl及び前記右前輪（３ｂ）の前記速度ｖrを決定するために使用されるホイール較正係数（ｆl及びｆr）は、再較正される請求項１２又は１３に記載の方法。
【請求項１５】
請求項１〜１４のいずれか一項に記載の方法を実行するために車両で利用可能な追跡装置（４）であって、
ホイールティックユニット（５ａ及び５ｂ）からデータを受信する入力ライン、及び少なくとも１つの基準位置（ｘref）を提供する出力ライン、並びに処理及びデータ記憶手段を有し、
左前輪（３ａ）の速度ｖlを示すセンサ測定結果及び右前輪（３ｂ）の速度ｖrを示すセンサ測定結果を受信し、
前記左前輪（３ａ）の前記速度ｖlの値及び前記右前輪（３ｂ）の前記速度ｖrの値を前記センサ測定結果から導き出し、
前記左前輪（３ａ）の前記速度ｖl及び前記右前輪（３ｂ）の前記速度ｖrから演算かじ取り角δcalの関数を演算することであって、前記演算かじ取り角δcalは、かじ取り角間隔に亘って変化し、
前記演算かじ取り角δcalの前記関数を使用して前記車両の速度ｖ及び方位変化ｈを演算し、
前記車両の前記演算された速度ｖ及び方位変化ｈを使用して、前記車両の先の位置及び方位に基づいて前記車両の前記位置（ｘref）及び前記方位（Ｈ）の値を演算する、
ように構成され、
前記方位変化ｈを演算するために使用される前記演算かじ取り角δcalの前記関数に反映される前記演算かじ取り角δcalは、前記かじ取り角間隔の少なくとも一部において、
【数８】
2012098270.tif 000128
に従い演算される正確なかじ取り角δexから
【数９】
2012098270.tif 000129
として規定される近似的なかじ取り角の前記正確なかじ取り角δexからの逸脱より小さく逸脱し、ａはホイールベースで分割したフロントトラックゲージの半分であり、
【数１０】
2012098270.tif 000130
である追跡装置（４）。
【請求項１６】
前記かじ取り角間隔の全体で、前記正確なかじ取り角δexからの前記演算かじ取り角δcalの逸脱の範囲は、２°よりも小さい請求項１５に記載の追跡装置（４）。
【請求項１７】
前記かじ取り角間隔の全体で、前記正確なかじ取り角δexからの前記演算かじ取り角δcalの逸脱の範囲は、１°よりも小さい請求項１５に記載の追跡装置（４）。
【請求項１８】
前記近似的なかじ取り角δappの関数を演算し、前記近似的なかじ取り角δappがしきい値かじ取り角（δthr）よりも小さい場合、前記演算かじ取り角δcalが前記近似的なかじ取り角δappに等しいことが反映される前記方位変化ｈの演算で前記かじ取り角の関数を使用するように構成され、前記近似的なかじ取り角δappが前記しきい値かじ取り角（δthr）よりも大きい場合、前記関数は、前記演算かじ取り角δcalが前記近似的なかじ取り角δappと異なり、前記演算かじ取り角δcalが前記近似的なかじ取り角δappの関数から決定されることが反映する請求項１５〜１７に記載の追跡装置（４）。
【請求項１９】
前記近似的なかじ取り角δappの前記関数からの前記演算かじ取り角δcalの前記関数の前記決定において、前記正確なかじ取り角δexの関数の値と、前記近似的なかじ取り角δappの対応する値の関数とからなる対が記憶されるルックアップテーブルを使用するように構成される請求項１８に記載の追跡装置（４）。
【請求項２０】
前記近似的なかじ取り角δappの前記関数の値が前記ルックアップテーブルに記憶されるかじ取り角の２つの値の間である場合に、補間を使用するように構成される請求項１９に記載の追跡装置（４）。
【請求項２１】
ＧＮＳＳアンテナ（６）から信号を受信する少なくとも１つの入力ラインをさらに有し、連続するフィルタサイクルを実行するように構成される追跡装置であって、フィルタサイクルそれぞれは、それぞれの場合に前記車両の前記位置（ｘref）及び前記方位（Ｈ）の値が、前記速度ｖ及び方向変化ｈから演算され、演算それぞれは前記位置（ｘref）及び前記方位（Ｈ）の先に確立された値に基づく少なくとも１つの時間更新工程と、前記予測工程で演算された前記位置（ｘref）及び前記方位（Ｈ）の前記値が、ＧＮＳＳの測定結果が利用可能な場合に、考慮される前記ＧＮＳＳの測定結果とともに補正される補正工程とを含む請求項１５〜２０のいずれか一項に記載の追跡装置（４）。